(57)【要約】      （修正有）【課題】人の口から注入できる程度の低圧空気を注入しても鯉の形態に膨らますことができ、かつ空気を抜けば平たくコンパクトに折り畳んで収納スペースを小さくできる鯉のぼりを提供する。【解決手段】鯉のぼりの形態をなす外皮１と、外皮１の中に挿入され空気を充填することで膨らむ浮体２とからなる。浮体２が、空気の注入を許容するが自然な排気は阻止する空気取入れ弁３を備えている。浮体２に空気を充填して膨らますと、外皮１を膨らまし外皮１が鯉のぼりの形態を保持するので室内であっても、風にそよいでいる状態の鯉のぼりを観賞できる。また、浮体２から空気を抜くと外皮１も浮体２も小さく折り畳めるので、コンパクトに収納できる。【選択図】図２
0003202836.tif 000002
【実用新案登録請求の範囲】
【請求項１】
鯉のぼりの形態をなす外皮と、該外皮の内側形状および内側寸法と略同一の形状と寸法を有しており、
該外皮の中に挿入され空気を充填することで膨らむ浮体とからなる
ことを特徴とする鯉のぼり。
【請求項２】
前記浮体が、空気の注入を許容するが自然な排気は阻止する空気取入れ弁を備えている
ことを特徴とする請求項１記載の鯉のぼり。
【請求項３】
前記空気取入れ弁が、前記浮体を人の手で押したときの内圧で開弁する圧力下開弁機能を有する
ことを特徴とする請求項２記載の鯉のぼり。
【考案の詳細な説明】
【技術分野】
【０００１】
本考案は、鯉のぼりに関する。さらに詳しくは、室内で飾るのに適した鯉のぼりに関する。
【背景技術】
【０００２】
特許文献１の従来技術は、小さく折り畳むことができ、ポールに巻き付き難いい鯉のぼりを提供しようとするものであって、口を開口状態に保つため口の内周部に沿って芯材を装着しており、かつ口の近辺から背にそって少なくとも背びれを超える位置までポリプロピレン製梱包用バンドから成る補強材を装着したものである。芯材には、縦方向に１８０度屈曲しても折れない弾力性を備えたポリプロピレン製梱包用バンドが用いられている。
【０００３】
しかるに、上記芯材は折れはしなくても、その弾力性によって元のように伸びようとするので、小さく折り畳んだ状態にし難いので紙箱等に収納し難いという問題がある。
【０００４】
特許文献２の従来技術は、弱い風でもなびき易く、強い風でも比較的潰れ難く、羽ばたく鯉のぼりを提供することを目的としており、内部を空洞とし注入口を設けた任意の形状のチューブ骨格を鯉のぼり本体表面内側に設け、該注入口よりチューブ骨格の内部に空気やガスを注入して膨張させる事により、鯉のぼり本体にボリュームを持たせると同時に、鯉のぼり本体内部に空洞の胸郭部を形成する構造としている。
【０００５】
しかるに、上記鯉のぼりは、チューブ骨格が細いものであるので、注入した空気圧が高圧でないと鯉の形態を保つことができず、人の口から空気注入しても圧力が不足して、鯉のぼりの形態をうまく保つことができないという問題があった。
【先行技術文献】
【特許文献】
【０００６】
【特許文献１】特開２００９−１４８４５２号公報
【特許文献２】特開２００３−２９９５６７号公報
【考案の概要】
【考案が解決しようとする課題】
【０００７】
本考案は上記事情に鑑み、人の口から注入できる程度の低圧空気を注入しても鯉の形態に膨らますことができ、かつ空気を抜けば平たくコンパクトに折り畳んで収納スペースを小さくできる鯉のぼりを提供することを目的とする。
【課題を解決するための手段】
【０００８】
第１考案の鯉のぼりは、鯉のぼりの形態をなす外皮と、該外皮の内側形状および内側寸法と略同一の形状と寸法を有しており、該外皮の中に挿入され空気を充填することで膨らむ浮体とからなることを特徴とする。
第２考案の鯉のぼりは、第１考案において、前記浮体が、空気の注入を許容するが自然な排気は阻止する空気取入れ弁を備えていることを特徴とする。
第３考案の鯉のぼりは、第２考案において、前記空気取入れ弁が、前記浮体を人の手で押したときの内圧で開弁する圧力下開弁機能を有することを特徴とする。
【考案の効果】
【０００９】
第１考案によれば、浮体に空気を充填して膨らますと、浮体が外皮の内側に接して外皮を膨らますので、外皮が鯉のぼりの形態を保持する。このため、風の吹かない室内であっても、風にそよいでいる状態の鯉のぼりを観賞できる。また、浮体から空気を抜くと外皮も浮体も小さく折り畳めるので、コンパクトに収納できる。
第２考案によれば、いったん空気注入すれば、空気取入れ弁によって自然には排気しないので、鯉のぼりを膨らんだ状態に長時間保つことができる。
第３考案によれば、膨らました鯉のぼりを人の手で押すと、上昇した浮体内の内圧で空気取入れ弁が開弁するので、浮体内の空気抜きが行える。このため、外皮と浮体の折り畳みを容易にできる。
【図面の簡単な説明】
【００１０】
【図１】本考案の一実施形態に係る鯉のぼりの外観図である。
【図２】図１の鯉のぼりの浮体の説明図である。
【図３】浮体に取付けた空気取入れ弁の平面図である。
【図４】図１の鯉のぼりを折り畳んだ状態の平面図（Ａ図）と側面図（Ｂ図）である。
【図５】本考案の鯉のぼりの使用状態説明図である、
【考案を実施するための形態】
【００１１】
つぎに、本考案の実施形態を図面に基づき説明する。
図１において、Ａは鯉のぼりを示し、１は外皮、２は浮体である。図１では外皮１を実線で示し、浮体２の外形線を点線で示している。図２は鯉のぼりＡの断面を示しており、外皮１も浮体２も実線で示している。
【００１２】
外皮１は鯉のぼりの形態をなしており、その表面には鯉のぼりの図形が描かれている。この外皮１は、紙、合成樹脂フィルム、化学繊維や綿を用いた不織布等の材料で作られる。
【００１３】
浮体２は前記外皮１の内面形状に概略沿う形状を有し、かつ外皮１の内側寸法より小さいがほぼ同じ位の寸法を有している。この浮体２は、合成樹脂フィルムで作られ、空気注入により膨らませることが可能である。
【００１４】
浮体２には空気取入れ弁３が取付けられている。図３に基づき、空気取入れ弁３を説明する。
（Ａ）図は平面図であり、（Ｂ）図は（Ａ）図におけるｂ−ｂ断面側面図であり、（Ｃ）図はストローｓを通した状態のｂ−ｂ断面側面図である。
【００１５】
空気取入れ弁３の基本構造は、２枚のフィルム１１、１１を貼り合わせたものである。２枚のフィルム１１のうち、斜線を付した外縁部分はヒートシールや接着材等で接合した接合部１２である。図中における上下両側の接合部１２で挟まれている中央部分は、接合していない非接合部１３である。
外側の端部１４は、２枚のフィルムが重なっているだけで、接合されていない。内側の端部１５は、左右両端部が接合部１２の延長部分のように接合されていて、中央部のみ接合されていない。
【００１６】
上記の構造であるため、日常生活用品のストローｓを差し込んだり、抜いたりすることが可能である。
図３（Ｂ）に示すように、ストローｓを差し込まれてない状態では、２枚のフィルム１１、１１も端部１５、１５も互いに接触している（図では作図上２枚のフィルム１１、１１を識別するため若干離して描いているが、実際にはピッタリ密着する）。
この状態では、浮体２の内側からの空気ａは２枚のフィルム１１、１１内に入らないので、空気が自然と排気されることはない。
【００１７】
図３（Ｃ）に示すように、外側の端部１４は開いているので、そこからストローｓを差し込み、中央部１３を貫いて、内側の端部１５からストローｓの端部を浮体２内に差し入れることができる。この状態では、ストローｓに空気ａを注入することができる。ストローｓを使っての空気注入には、人が口にくわえて吹き込むことによって行える。
【００１８】
浮体２を膨らませた後、空気取入れ弁３からストローｓを抜くと、図３（Ｂ）の状態となる。
この状態では、既述のごとく自然には排気しないので、鯉のぼりを膨らんだ状態に長時間保つことができる。そして、既述のごとく浮体２は外皮１の内面に沿う形態と大きさを有しているので、浮体２が膨らむと外皮１も膨らみ、風に吹かれている鯉のぼりの形態を保つことができる。また、浮体２は外皮１を内側から押し広げる形状と大きさを有しているので、人の口から注入できる程度の低圧空気でも充分に外皮１を鯉らしく膨らませることができる。
【００１９】
つぎに、膨らました鯉のぼりＡを人の手で押すと、上昇した浮体２内の内圧で空気取入れ弁３の内側の端部１５が開くので、浮体２内の空気抜きが行える。空気の抜けた浮体２は材料がフィルム製なので何の反発力も生じず、また外皮も材料の性質上折り畳みに反発はしないので、折り畳めば、その折り畳み状態に自然に維持される。このため、図４に示すように、外皮１も浮体２も小さく折り畳めコンパクトに収納できる。なお、符号４は鯉のぼりＡの口を示している。
【００２０】
図５は、本考案の鯉のぼりＡを室内に飾った状態を示している。最上段に吹流しＢを吊るし、その下に大中小３匹の鯉のぼりＡ、Ａ、Ａを紐で吊るしている。なお、この状態は例示であって、吹流しＢはなくてもよく、鯉のぼりＡは２匹以下でもよく４匹以上であってもよい。
吹流しＢも鯉のぼりＡと同様に浮体を入れておけば、風に吹かれて膨らんでいるように見せることができる。
【符号の説明】
【００２１】
１  外皮
２  浮体
３  空気取入れ弁
【図１】
0003202836.tif 000003
【図２】
0003202836.tif 000004
【図３】
0003202836.tif 000005
【図４】
0003202836.tif 000006
【図５】
0003202836.tif 000007